(57)【要約】本発明はPCB（プリント配線基板）（１０）を、当該PCB上に部品を実装し得る装置を通して、移動させる装置に関するものである。当該装置は、反対側の端で前記PCBを支えるのに等しい間隔に配置した歯（３）のある２つの梁（２）を含む。当該梁は上下に移動し、水平方向へ前後に移動し得る。さらに、歯（６）のある、固定された２つの支柱（５）が設けられる。当該支柱（５）に支えられたPCB(１０)を持ち上げるのに、前記梁（２）の前記歯（３）は前記支柱の部材（５）の前記歯（６）の間の隙間の中を移動し得るような配置とする。水平方向へ前記梁（２）を移動するには、前記梁（２）の前記歯（３）を前記支柱部材（５）の前記歯（６）の下の位置と上の位置に配置し得る。
2004537865.tif 000002
【特許請求の範囲】
【請求項１】
プリント配線基板を、当該プリント配線基板上に部品を実装しなければならない装置を通して、移動させる装置であって：
当該装置には垂直方向へと水平方向へ前後に移動し得る、平行に配置した２つの梁が設けられ、当該梁には、前記配線基板を当該配線基板の反対側の２つの端で支える、等間隔に配置した歯が装備され、前記の配線基板を移動させる装置にはさらに歯を設けた、固定して配置した２つの支柱が設けられ、当該支柱に支えられた配線基板を持ち上げるのに、前記梁の前記歯が、前記支柱の前記歯の間の隙間の中で、上方向に移動することが可能であり、前後に前記梁を移動するのに、前記梁の前記歯が前記支柱の前記歯の下の位置と上の位置に配置し得ることを特徴とする装置。
【請求項２】
請求項１記載の装置であって：
配線基板を送り込む装置には、垂直の回転軸の周りを回転し得る誘導部材を回転して誘導される、歯のある２つのコンベヤー・ベルトが設けられ、当該コンベヤー・ベルトは、当該コンベヤー・ベルトの水平方向へ見て、当該コンベヤー・ベルトのお互いに向き合う部分上の当該コンベヤー・ベルトの前記歯が前記支柱の前記歯と一致するよう配置されることを特徴とする装置。
【請求項３】
請求項１又は２に記載の装置であって：
前記の送り込みコンベヤー・ベルトの反対側に面した前記支柱端付近に、吐き出しコンベヤー・ベルトが前記送り込みコンベヤー・ベルトに合わせて配置されることを特徴とする装置。
【請求項４】
請求項１乃至３の何かに記載の装置であって：
前記梁のうちの少なくとも一つの上に、締め付け梁が当該梁の前記歯と前記締め付け梁の間の前記配線基板の一端を締め付けるために設けられることを特徴とする装置。
【請求項５】
請求項４記載の装置であって：
前記締め付け梁と前記の歯を設けた梁が一緒に往復運動し得ることを特徴とする装置。
【請求項６】
請求項１乃至５の何かに記載の装置であって：
前記の歯を設けた梁間の間隔と支柱間の間隔が調節し得ることを特徴とする装置。
【発明の詳細な説明】
【技術分野】
【０００１】
本発明は、当該プリント配線基板を、プリント配線基板上に部品を実装しなければならない装置を通して、移動させる装置に関するものである。
【背景技術】
【０００２】
上記にて言及された型の周知の装置では、配線基板は垂直方向へ移動し得るピンを利用して移動され、ピンの上端はピンの縦の方向と交差する方向へ配線基板を運ぶのに配線基板に特に形成された穴に挿入する。
［発明が解決しようとする課題］
【０００３】
多くの適用分野では、しかしながら、そのような穴を配線基板に設けることは許されない。さらに、個々の締め付け部材を部品の実装中に配線基板を支えるのに設けなければならず、装置が厄介にも複雑になり、かさばってしまう。
【０００４】
本発明による構造のもとでは、配線基板は梁の歯と支柱の歯の両方によって容認でき得る幅の端から端までを配線基板の両端にて支え得る。さらに、梁は、部品を実装する装置を通して配線基板を移動させるのにばかりでなく、締め付け梁に配線基板を押し当てるのにも使用するので、部品を実装する間に配線基板を固定する個々の、込み入った締め付け装置はなしで済まし得る。
【発明の開示】
【課題を解決するための手段】
【０００５】
本発明に従って、プリント配線基板を移動させる装置には垂直方向へと水平方向へ前後に動かし得る、平行に配置した2つの梁を設け、梁は配線基板の反対側の２つの端で配線基板を支えるのに、等しい間隔にて配置した歯を装備し、そして前記装置には固定して配置した、歯のある2つの支柱を設け、前記のプリント配線基板を移動させる装置の実施例では支柱に支えられた配線基板を持ち上げるのに、支柱の歯の間の間隔で梁の歯を上方向に移動することが可能であり、その上、梁を前後に移動するのに、梁の歯を支柱の歯の上下の位置に配置し得る。
【発明を実施するための最良の形態】
【０００６】
本発明のこれらと他の特徴は本明細書と特許請求の範囲にて説明する実施例から明白になり、かつ当該実施例を参照して説明する。
【０００７】
図面に例示した装置は、詳細には示していない駆動構造を使って、矢印Aによって表示した方向に前後に移動し得て、かつ矢印Bによって表示した方向に上下に移動し得るキャリッジ１を含む。
【０００８】
当該キャリッジには矢印Aによって表示した移動方向に平行して伸び、多少離れた2つの梁２を設ける。上方向に伸びた等しい間隔にて配置した歯３は前記梁２に固定される。さらに、上方向に伸びたピン４は前記キャリッジ上に要求される様式に配置し得る。
【０００９】
さらに、前記装置には向き合う側の表面に突起歯６を設けた、2つの固定で配置した支柱５を設ける。
【００１０】
前記梁２のうちの1つの上に、当該梁２に平行して伸びる締め付け梁７を配置する。当該締め付け梁７は矢印Aによって表示した方向に前記キャリッジ１と一緒に、できることなら、往復運動させることが可能であり、この目的で、例えば、詳細には示していない、前記装置の固定フレームの部分９上のローラー８によって支えられる。
【００１１】
特に、図３と４で、図示したように、矢印Aによって表示した前記キャリッジ１の移動方向を見て、前記歯３が、各自、歯６の上下に位置し、矢印Bによって表示したように、キャリッジ１を上方向に移動すると、前記梁２の前記歯は前記支柱５の前記歯の間の隙間の中を進むような配置となる。当該配置が、前記歯３と前記歯６による等しく狭い片の端から端まで配線基板１０の両面を支えることを可能とし、それは、例えば、矢印Aによって表示した移動方向を見て、前記歯６と歯３が並列する実施例では不可能かもしれないということは明らかであろう。前記の場合、配線基板の移動、保管、加工の個々の段階の間に前記配線基板１０を支えるのには当該配線基板１０の反対側の適切の端にずっと幅の広い片を備えなければならないかもしれない。
【００１２】
矢印Cによって表示した方向で加工される前記配線基板を送り込むのに、前記装置に垂直の回転軸の周りを回転し得る後尾滑車１２を回転して誘導する、2つの平行に配置したコンベヤー・ベルト１１を設ける。当該コンベヤー・ベルトには等間隔に突起歯１３を設ける。
【００１３】
前記配線基板を移動するのに矢印Cによって表示した方向に駆動される、前記コンベヤー・ベルト１１の前記の向かい合う部分の前記の向かい合う歯はそれぞれ、図3と図４、に示すように、前記歯３と６と同様の方法で、送り込まれる配線基板を支える。
【００１４】
前記支柱５の端近くの前記コンベヤー・ベルト１１の端付近には、止め部材１４を設けて前記コンベヤー・ベルト１１にて運搬される配線基板１０が矢印Cによって表示した方向に前記コンベヤー・ベルトによるさらなる移動を不可能にするよう、要求される位置に引き止める。
【００１５】
加工された配線基板を運び去るのに、歯１５のある、類似したコンベヤー・ベルト１６を前記コンベヤー・ベルト１１の反対側に面した前記支柱５の端に当該５支柱に合わせて設け、前記コンベヤー・ベルト１６を垂直の回転軸の周りを回転し得る後尾滑車１７を回転して誘導する。さらに前記コンベヤー・ベルト１６は矢印Cによって表示した方向に前記のお互いに向き合う前記コンベヤー・ベルトの部分が移動するように駆動し得る。
【００１６】
図１で示した位置から前記コンベヤー・ベルト１１の方向に前記キャリッジ１を移動するのに、前記キャリッジ１と前記のその上に装備した歯のある梁は図４に図示する位置に下向きに移動し、前記歯３の上端は前記歯６よりもより低く位置する。
【００１７】
その後に、前記キャリッジ１は前記コンベヤー・ベルトの下の位置に移動し、当該位置では前記コンベヤー・ベルト１１の前記歯１３に支えられて前記止め部材１４に接する配線基板は台１を上方向に移動することによって持ち上げ得る。これを可能にするには、前記コンベヤー・ベルト１１が当該コンベヤー・ベルト１１の前記歯１３の間を前記梁２の前記歯３が上方向に移動し得る位置に引き止められていることを確かめなければならない。
【００１８】
そのようにして持ち上げられた前記配線基板１０は前記ピン４の上端のみならず前記歯３の上端に支えられる。この動作では、前記配線基板が前記３歯と前記締め付け梁７の上端間に締め付けられる位置に台１が移動され、前記配線基板１０を支える前記歯３は前記歯６の上端を移動し得る。このようにして持ち上げられた配線基板はその結果、部品を実装するのに適切な位置に来るまで図１に示すように前記キャリッジ１によって右に移動し得る。
【００１９】
要求される部品を配線基板に実装した後、前記台１を図４が図示するような位置に降下し得て、前記の関連のある配線基板１０は前記歯６上に、またことによると前記歯１３上に停止する。その後、上記の方法で、次の配線基板は台１を使って持ち上げ得る。配線基板が前記コンベヤー・ベルト１１から持ち上げられた時、前記歯６に支えられた前記配線基板１０が持ち上げられ、前記キャリッジ１の後の移動の間に、図１のように、前記配線基板１０上にひょっとするとさらなる部品を実装し得る次のステーションへ右に移動し、同時に新たに送り込まれた配線基板は最初のステーションで部品を設け得る。
【００２０】
この方法で、配線基板は部品実装のための１つ以上のステーションを通して連続して送り込み得て、そしてゆくゆくは、前記台１の上から下への動きの後、配線基板は前記歯３によって送り出し前記コンベヤー・ベルト１６の前記歯１５上に配置する。
【００２１】
できることなら、前記装置を異なった幅寸法の配線基板に形成し得るように前記梁２間の間隔と前記支柱５間の間隔を調節できるようにする。さらに前記コンベヤー・ベルト１１と１６の間の間隔も調節し得る。
【００２２】
ただ５つの駆動装置、すなわち、矢印Aによって表示した方向への前記キャリッジ１の往復運動のための１つの駆動装置、矢印Bによって表示した方向への前記キャリッジ１の垂直運動のための１つの駆動装置、前記コンベヤー・ベルト１１、１６のための２つの駆動装置、及び前記梁間の間隔、前記支柱５間の間隔とコンベヤー・ベルト１１、１６間の間隔を調節する１つの駆動装置、だけが必要となる。
【図面の簡単な説明】
【００２３】
【図１】本発明による装置を例示する斜視図である。
【図２】装置の詳細を例示する側面図である。
【図３】梁と支柱の各々の相対位置のひとつの配置を例示する図である。
【図４】梁と支柱の各々の相対位置の別の配置を例示する図である。
【国際公開パンフレット】
2004537865.tif 000003
2004537865.tif 000004
2004537865.tif 000005
2004537865.tif 000006
2004537865.tif 000007
2004537865.tif 000008
2004537865.tif 000009
2004537865.tif 000010
2004537865.tif 000011
【国際公開パンフレット（コレクトバージョン）】
2004537865.tif 000012
【国際調査報告】
2004537865.tif 000013
2004537865.tif 000014